(57)【特許請求の範囲】
【請求項１】
中央部に円形の換気口を有する略平板状で、後面側が造営物に固定されるベースと、このベースの周辺部前面の複数箇所に立設されてベース中央部寄りに延在した複数のアーム部、およびこれらアーム部の延在した先端に装着された取付座で電動モーターをベースの換気口に対向させて固定するモーター支持部材と、電動モーターの回転軸に支持されてベースの換気口に回転可能に配置された換気用羽根を備えた直付け型の換気扇に装着されるフィルタ装置であって、
上記モーター支持部材を覆う大きさで、上記モーター支持部材の取付座から突出する電動モーターの突出後端部の外周に外接する最小サイズの矩形枠状線条体と、上記モーター支持部材のアーム部上に架設される中間サイズの矩形枠状線条体と、上記ベースの外周サイズと同程度の大きさの最大サイズの矩形枠状線条体を網状に一体化した、上記モーター支持部材に脱着可能に被着される平網状フィルタ保形網と、
このフィルタ保形網の上記最大サイズの矩形枠状線条体の４辺それぞれの離隔した複数箇所と、この複数箇所と対応する上記ベースの複数箇所の各々に両端を引っ掛けて、フィルタ保形網を換気扇に付設するバネ式引掛具と、
上記モーター支持部材に被着したフィルタ保形網と複数全ての上記引掛具を含むベース前面側に露呈する構成物全体を脱着可能に被覆するフレキシブルなキャップ状フィルタとを備え、
換気扇駆動時にフィルタ保形網の上記最大サイズの矩形枠状線条体とベースの間のフィルタを複数全ての上記引掛具に当てて内側への変形を抑制することを特徴とする換気扇用フィルタ装置。
【発明の詳細な説明】
【０００１】
【発明の属する技術分野】
本発明は、壁や天井等の造営物に直付けされる換気扇に、空気中の油分や塵芥類を除去するフィルタを脱着可能に装着するための換気扇用フィルタ装置に関する。
【０００２】
【従来の技術】
ホテルや旅館の厨房や一般家庭の台所で発生する湯気、煙を速やかに屋外に排出する換気装置として、換気扇内蔵型レンジフードと直付け型換気扇が一般的である。換気扇内蔵型レンジフードは、湯気や煙を吸い込むフードの開口に、吸い込んだ空気中の油分や塵芥類を捕捉するグラスウール製等のフィルタを脱着可能に取付けたものが、内蔵した換気扇が油等で汚れ難くて保守が容易である等の理由で賞用されているが、フード自体が壁面や天井面から嵩高く張り出して、設置スペースに大きなものを必要とし、取付け場所に制限がある。一方、直付け型換気扇は、フードが無くて設置スペースが換気扇だけの最小限て済むことから、狭い場所にも取付けが容易で、業務用及び家庭用換気扇として普及している。この直付け型換気扇の一般例を、図５及び図６に示し説明する。
【０００３】
同図の換気扇２は、壁１に直付けされるもので、矩形のベース３の後面周辺部が壁１にビス８等で直付けされる。ベース３の中央部に形成された円形の換気口４に換気用羽根７が収納される。羽根７は電動モーター６の回転軸（図示せず）に支持され、電動モーター６はモーター支持部材５に支持される。モーター支持部材５の４本のアーム部５ｂは、その基端５ａの折曲片５ｃがベース３の前面の４隅部にスポット溶接等で固定される。４本のアーム部５ｂは、ベース３から同一距離で略十文字状に配置され、その各々の先端に装着された取付座９に電動モーター６の後端部６’が固定され。
【０００４】
【発明が解決しようとする課題】
上記のような直付け型換気扇には、空気中の油分等と除去するフィルタを脱着可能に取付ける構造のものが無く、短期の使用で換気扇の全体が油分で汚れて換気機能が低下し、外観が悪くなるので、短期で分解等して掃除しなければならないのが現状である。また、直付け型換気扇をフィルタが脱着可能に取付けられる構造にすることは可能であるが、このようにすると換気扇全体の構造が複雑化して高価なものとなり、また、このフィルタ付き換気扇は既存の直付け型換気扇とは構造上に別機種となるので、ユーザーが直付け型換気扇をフィルタ付き構造のものに変更しようとする場合は、造営物から既存のフィルタ無し換気扇を取り外して新品のフィルタ付き換気扇に交換する必要がある。
【０００５】
そこで、以上のような課題を解決するものとして、例えば図６の鎖線で示すようなフィルタ装着ボックス２０が実公平４−５９３９号公報に開示されている。このフィルタ装着ボックス２０は、壁１に設置された既存の換気扇２の全体を囲う矩形ボックスで、換気扇２に被せて図６の右側端が壁１に両面接着テープ等で固定される。フィルタ装着ボックス２０の図６の左側の開口にフィルタ２１が脱着可能に取付けられて、このフィルタ２１が換気扇２へと流れる空気中の油分、塵芥類を除去する。
【０００６】
上記のようなフィルタ装着ボックスは、直付け型換気扇より一回り大きなものでよくて設置スペースが小さくて済み、また、壁に直付けされた既存の換気扇に何ら手を加えること無く適用できる。ところが、フィルタ装着ボックスが直付けされる壁や天井等の造営物の構造、材質によっては、フィルタ装着ボックスが両面接着テープ止めやビス止めができない場合があり、また、造営物がコンクリートのような場合は、フィルタ装着ボックスを取付けるのにコンクリート専用の工具を必要として、取付けが面倒である。
【０００７】
本発明の目的は、既存の直付け型換気扇に何ら手を加えることなく、また、換気扇が直付けされた造営物の構造、材質に関係無く簡単迅速、常に安全にフィルタが脱着可能に取付けられるフィルタ装置を提供することにある。
【０００８】
【課題を解決するための手段】
本発明は、中央部に円形の換気口を有する略平板状で、後面側が造営物に固定されるベースと、このベースの周辺部前面の複数箇所に立設されてベース中央部寄りに延在した複数のアーム部、およびこれらアーム部の延在した先端に装着された取付座で電動モーターをベースの換気口に対向させて固定するモーター支持部材と、電動モーターの回転軸に支持されてベースの換気口に回転可能に配置された換気用羽根を備えた直付け型の換気扇に装着されるフィルタ装置であって、次の硬質のフィルタ保形網とフレキシブルなキャップ状フィルタで構成することで、上記目的を達成する。
【０００９】
ここで、上記の硬質のフィルタ保形網は、モーター支持部材に脱着可能に被着されるもので、モーター支持部材を覆う大きさで複数本の硬質の線条体を網状に一体化した金属製や硬質プラスチック製の網部材である。また、上記のフレキシブルなキャップ状フィルタは、既存の直付け型換気扇のモーター支持部材に被せた上記フィルタ保形網を含む換気扇のベース前面側に露呈する構成物全体を脱着可能に被覆するグラスウール等のフィルタである。従って、キャップ状フィルタが被せられた直付け型換気扇の外観は、そのほとんどがキャップ状フィルタの外観となる。
【００１０】
また、本発明においては、上記フィルタ保形網が平坦な１枚の平網で、その周辺部の線状体の離隔した複数箇所と、この複数箇所と対応するベースの複数箇所の各々にバネ式引掛具の両端を引っ掛けて、フィルタ保形網を換気扇に取付ける構造が、既存の複数機種の直付け型換気扇にフィルタ保形網を共用させる上で好ましい。
【００１１】
更に、本発明においては、上記キャップ状フィルタの開口縁にゴム等の弾性伸縮部材を装着し、この弾性伸縮部材を伸ばして開口縁を広げた状態でフィルタを換気扇のベース前面側の構成物全体に被せた後、弾性伸縮部材の自己収縮力でフィルタの開口縁を換気扇ベース前面側の構成物全体に弾圧締結させるようにすることが、キャップ状フィルタの換気扇への取付けを安定させ、着脱作業を容易にする上で望ましい。
【００１２】
【発明の実施の形態】
図５及び図６の直付け型換気扇２に適用した一実施例を図１乃至図４を参照して説明すると、本発明実施例のフィルタ装置は、図１（Ａ）及び（Ｂ）と図２に示すような硬質のフィルタ保形網１１とフレキシブルなキャップ状フィルタ１４を備える。フィルタ保形網１１は、既存の換気扇２のモーター支持部材５に被着されて、ベース３に複数のバネ式引掛具１３で着脱可能に取付けられる。キャップ状フィルタ１４は、フィルタ保形網１１を含む換気扇２のベース３の前面側の構成物全体を被覆するグラスウール等のフレキシブルなキャップである。
【００１３】
フィルタ保形網１１は、換気扇２に被せたフレキシブルなキャップ状フィルタ１４の形状を所望の許容範囲内で保つ。即ち、フィルタ保形網１１を省略してフィルタ１４を直接に換気扇２に被せて換気扇２を駆動させると、換気口４への空気の吸引力でフレキシブルなフィルタ１４が換気口４へと吸い込まれる不具合が発生する。そこで、この種の不具合が発生しないようにフィルタ保形網１１を換気扇２に取付け、フィルタ保形網１１の上からフィルタ１４を被せて、フィルタ保形網１１でフィルタ１４の換気口４への吸い込み量を最小限に抑制する。
【００１４】
かかるフィルタ保形網１１は、金属網や硬質プラスチック網で、図面では数ｍｍ程度の線径のステンレス線の線条体１２の複数本を例えば平網状に連結したものを示す。このフィルタ保形網１１が既存の換気扇２のモーター支持部材５上に被せられ、バネ式引掛具１３でモーター支持部材５上に離脱可能に固定される。
フィルタ保形網１１は、矩形のベース３に対応させた矩形の平網で、矩形サイズが大小４段階に異なる４つの矩形枠状線条体１２ａ〜１２ｄと、この各矩形枠状線条体１２ａ〜１２ｄの各４辺の中央点に溶接等で固定されて各矩形枠状線条体１２ａ〜１２ｄを同一平面上で一体化する４本の直線状線条体１２ｅで構成される。
【００１５】
フィルタ保形網１１における最小サイズの矩形枠状線条体１２ａは、モータ支持部材５の取付座９から突出する電動モーター６の突出後端部６’の外周に外接する口径に設定される。フィルタ保形網１１の最大サイズの矩形枠状線条体１２ｄは、ベース３の外周サイズと同程度の大きさに設定され、残りの中間サイズの２つの矩形枠状線条体１２ｂ，１２ｃは、その４つのコーナー部がモーター支持部材５の４本のアーム部５ｂ上に架設される大きさに設定される。
【００１６】
フィルタ保形網１１の換気扇２への取付けは、次の要領で行われる。最小サイズの矩形枠状線条体１２ａを電動モーター６の突出後端部６’に外接させて、フィルタ保形網１１をモーター支持部材５のアーム部５ｂに被せる。このときのフィルタ保形網１１は、矩形枠状線条体１２ａと突出後端部６’の係止で横ズレすること無くモーター支持部材５上に位置決め保持される。而して後、最大サイズの矩形枠状線条体１２ｄの４辺の複数箇所とベース３の複数箇所に、伸ばしたバネ式引掛具１３の両端を引っ掛けて、フィルタ保形網１１をモーター支持部材５上に弾圧的に取付ける。
【００１７】
バネ式引掛具１３のベース３での引っ掛け箇所は、例えば図３に示すような円筒部３ａの開口縁である。円筒部３ａは、ベース３の換気口４を形成するもので、この円筒部３ａは、ベース３の前面側に屈曲させて形成され、その先端開口縁に外側に折曲された凹段３ｂが形成される。このような円筒部３ａの先端開口縁は、フィルタ保形網１１の最外周を形成する矩形枠状線条体１２ｄに近い位置に在る。そこで、図３に示すようなコイルスプリング形状の引掛具１３を複数本用意し、これの一端のフック１３ｂを線条体１２ｄに引っ掛け、そのまま引掛具１３のコイルスプリング部１３ａを伸ばして他端のフック１３ｃを円筒部３ａの先端開口縁の凹段３ｂに引っ掛ける。
【００１８】
ここで、既存の換気扇２の複数機種の形状、サイズは似通っているのが現状である。例えば、電動モーター６の突出後端部６’の直径は、換気扇の能力、用途の異なる複数機種において同一であり、この直径に合わせてフィルタ保形網１１の矩形枠状線条体１２ａの口径を設定すれば、フィルタ保形網１１は複数機種の換気扇に共通に使用できる。また、換気扇２の円筒部３ａの先端開口縁の口径とベース３からの高さは、換気扇の機種によって若干のバラツキがあるが、このバラツキは引掛具１３の伸びで吸収されて、引掛具１３が複数機種の換気扇に共用できる。
【００１９】
また、既存の換気扇２には、ベース３の円筒部３ａの先端開口縁に凹段３ｂの無い機種のものがある。このような機種の換気扇においては、図４に示すように、ベース３の複数箇所に予め形成されたノックアウト穴１７に引掛具１３のフック１３ｃを引っ掛けるようにする。尚、ノックアウト穴１７は、ベース３の４隅部に２箇所ずつ形成された換気扇シャッター取付用の予備穴等である。このようなノックアウト穴１７を利用して引掛具１３を取付ける場合は、図示しないがノックアウト穴１７にワンタッチで係合できる中間部材を係合させ、この中間部材に引掛具１３を引っ掛けるようにしてもよい。あるいは、ベース３の複数箇所に係止片を予め形成しておき、これら係止片にフック１３ｃを引っ掛けるようにしても良い。
【００２０】
以上のようなフィルタ保形網１１を既存の換気扇２に取付けた後、換気扇２に被覆されるキャップ状フィルタ１４は、フィルタ保形網１１より一回り大きな略矩形で、その開口縁１５がベース３前面のモーター支持部材５の各アーム部５ｂの根元部分に締結される深さのキャップである。また、図１（Ｂ）に示すように、フィルタ１４の開口縁１５にゴム等の弾性伸縮部材１６を装着して、開口縁１５を弾性伸縮部材１６の自己収縮力でモーター支持部材５のアーム部５ｂの根元部分に弾圧締結させる。
【００２１】
既存の換気扇２へのフィルタ１４の取付けは、フィルタ１４の開口縁１５を手で広げて換気扇２に被せるだけのワンタッチの一人作業で行われる。開口縁１５に弾性伸縮部材１６を装着しておくことで、開口縁１５がモーター支持部材５のアーム部５ｂの根元部分に弾圧締結されるので、換気扇２にフィルタ１４を常に安定した状態で取付けることができる。このときのフィルタ１４の形状はフィルタ保形網１１で安定に維持される。換気扇２を駆動させた場合、フィルタ１４を通して換気口４へと空気が流れ、このときの空気流でフィルタ１４がフィルタ保形網１１に押し付けられ、その状態がフィルタ保形網１１で維持される。従って、フィルタ保形網１１は、空気流によるフィルタ１４の変形を抑制して、フィルタ１４が換気扇２の換気口４へと入り込むのを防止する。
【００２２】
また、上記換気扇駆動時において、フィルタ保形網１１の外周とベース３の間のフィルタ１４も換気口４へと引き込まれるが、このフィルタ１４はフィルタ保形網１１の外周とベース３の間に在る複数の引掛具１３に当って、その内側への変形が抑制される。従って、引掛具１３もフィルタ１４が換気扇２の換気口４へと入り込むのを防止する。
【００２３】
既存の換気扇２に被せたフィルタ１４は、空気中の油分や塵芥類を吸着して換気扇２の全体の汚れを抑制し、換気機能を長期に亘って高度に維持する。フィルタ１４が汚れてフィルタ機能が低下すると、フィルタ１４だけを換気扇２から取り外し、洗濯して再度取付けるか、新品と交換する。このようなフィルタ１４の脱着は、一人作業でワンタッチ式に行える。
【００２４】
本発明は、以上の実施例に限らず、例えばフレキシブルなキャップ状フィルタの開口縁の開閉を、この開口縁に挿通した紐で行うようにしてもよい。
【００２５】
【発明の効果】
本発明は、以上の構成により次なる効果を奏する。
【００２６】
請求項１記載のフィルタ装置によれば、壁や天井等の造営物に直付けされた既存の換気扇そのものにフィルタ保形網を取付け、フィルタ保形網を含めて換気扇の露呈部全体にキャップ状フィルタを被せた構造ゆえに、造形物の種類に関係無くフィルタの脱着が特別な工具を必要とせず簡単迅速に行え、また、既存の換気扇に何ら手を加えること無く既存のフィルタ無し換気扇をフィルタ付き換気扇とすることができて、ユーザーにとって有利なフィルタ装置が提供できる。また、フィルタ保形網がフレキシブルなキャップ状フィルタを安定した外観良好な姿勢に保持し、かつ、換気扇駆動時にフィルタが異常に変形して換気扇の換気口へと入り込むのを防止して、業務用換気扇のような換気能力の高い換気扇にも有効に適用できる汎用性の高いフィルタ装置が提供できる。
【００２７】
既存の換気扇とこれに被せたフィルタ保形網の間の寸法関係に、換気扇の機種に基づくバラツキがあっても、このバラツキがバネ式引掛具の伸縮で吸収されて、複数機種の換気扇にフィルタ保形網がバネ式引掛具で安定に取り付けられるので、複数機種の換気扇に１種類のフィルタ保形網が共用できて、汎用性の高いフィルタ装置が提供できる。
【００２８】
キャップ状フィルタの開口縁を手で広げるだけでフィルタを換気扇にワンタッチで着脱できるので、フィルタの着脱作業が一人作業で簡単迅速に行えるようになる。また、換気扇に被せたフィルタの開口縁が弾性伸縮部材の弾性力で換気扇に弾圧締結されるので、換気扇へのフィルタの取付け強度が安定する。
【図面の簡単な説明】
【図１】（Ａ）及び（Ｂ）は本発明実施例のフィルタ装置の一部省略部分を含む正面図及び側面図。
【図２】図１フィルタ装置と換気扇の分解斜視図。
【図３】図１フィルタ装置と換気扇の連結構造例を示す部分拡大断面図。
【図４】図１フィルタ装置と換気扇の他の連結構造例を示す部分拡大断面図。
【図５】一般的な直付け型換気扇の正面図。
【図６】図５換気扇の側面図。
【符号の説明】
１    造営物（壁）
２    換気扇
３    ベース
４    換気口
５    モーター支持部材
５ｂ  アーム部
６    電動モーター
７    羽根
９    取付座
１１  フィルタ保形網
１２  線条体
１３  バネ式引掛具
１４  キャップ状フィルタ
１５  開口縁
１６  弾性伸縮部材
【図１】
0003690698.tif 000002
【図２】
0003690698.tif 000003
【図３】
0003690698.tif 000004
【図４】
0003690698.tif 000005
【図５】
0003690698.tif 000006
【図６】
0003690698.tif 000007